(57)【特許請求の範囲】
【請求項１】
ロック解除手段と、ロック解除の操作手段と、施錠・開錠状態を表示する表示灯とを備え、制御用のマイコンに接続されたハンドル装置であって、
開錠許可信号が入力されたときオンとなる開錠許可信号の検出手段をロック解除の操作手段の回路に直列に接続し、
この検出手段により開錠許可信号が検出された場合にのみ操作手段の操作を有効とし、
有効とされた操作手段が操作されたときにマイコンからロック解除信号を出力させ、ロックを解除することを特徴とするハンドル装置。
【請求項２】
開錠許可信号の検出手段がフォトカプラであり、フォトカプラの発光素子を開錠許可信号が入力される回路に直列に接続し、発光素子の発光によりオンとなる受光部を操作手段の回路に直列に接続したことを特徴とする請求項１記載のハンドル装置。
【請求項３】
前記ロック解除手段はソレノイドである請求項１または２記載のハンドル装置。
【発明の詳細な説明】
【技術分野】
【０００１】
本発明は、例えばデータセンタで使用されるキャビネット等に組み込まれるハンドル装置に関するものである。
【背景技術】
【０００２】
データセンタで使用されるキャビネットの扉には、ロック機構を備えたハンドル装置が取り付けられている。このようなハンドル装置は、ハンドル本体に起伏自在に枢着されたハンドル取手と、このハンドル取手と連動する鎖錠用フックを備えており、ハンドル取手を引き起こすと鎖錠用フックが開錠位置となり、ハンドル取手をハンドル本体に密着するように倒すと鎖錠用フックが鎖錠位置となる。このためハンドル取手を倒した位置にロックしておけば、扉を開くことができない。
【０００３】
このロック機構にソレノイドを用いた電気錠（特許文献１）が広く用いられている。このような電気錠は管理用端末等からの電気信号により、鎖錠状態と開錠可能状態との切替が可能である。しかしソレノイドはハンドル本体の内部に収納されているうえ、開錠可能状態となっても人が操作しない限りハンドル取手は動かないため、外観上は鎖錠状態と開錠可能状態との見分けが付かない。そこで表示灯を設けて施錠状態、開錠可能状態、開錠状態を識別可能とした電気錠が開発されている。しかし、表示灯の点灯制御回路、開錠許可信号を送る回路、ソレノイドの駆動信号を送る回路はそれぞれ独立しているため、開錠許可信号が入力されていない状態ではソレノイドに電圧を印加しないような制御を制御用のマイコンで行う必要がある。このため、処理時間がかかるという問題やプログラム入力の必要があるという問題があった。
【先行技術文献】
【特許文献】
【０００４】
【特許文献１】特開２００３−２３９５７４号公報
【発明の開示】
【発明が解決しようとする課題】
【０００５】
従って本発明の目的は上記した従来の問題点を解決し、ハンドル装置の内部でソレノイド駆動の許可・不許可を判断することができ、処理速度を高めることができるハンドル装置を提供することである。
【課題を解決するための手段】
【０００６】
上記の課題を解決するためになされた本発明は、ロック解除手段と、ロック解除の操作手段と、施錠・開錠状態を表示する表示灯とを備え、制御用のマイコンに接続されたハンドル装置であって、開錠許可信号が入力されたときオンとなる開錠許可信号の検出手段をロック解除の操作手段の回路に直列に接続し、この検出手段により開錠許可信号が検出された場合にのみ操作手段の操作を有効とし、有効とされた操作手段が操作されたときにマイコンからロック解除信号を出力させ、ロックを解除することを特徴とするものである。
【０００７】
なお請求項２のように、開錠許可信号の検出手段がフォトカプラであり、フォトカプラの発光素子を開錠許可信号が入力される回路に直列に接続し、発光素子の発光によりオンとなる受光部を操作手段の回路に直列に接続した構成とすることができる。なお、請求項３のように、前記ロック解除手段はソレノイドであっても良い。
【発明の効果】
【０００８】
本発明のハンドル装置によれば、管理用端末等から送られる開錠許可信号の検出回路と、操作手段の操作を有効とする手段とを回路上でリンクさせ、有効とされた操作手段が操作されたときにマイコンからロック解除信号を出力させてロックを解除するようにした。このため、ハンドル装置の内部でロック解除の許可・不許可を判断することができ、従来よりも処理速度を高めることができる。またマイコンへのプログラム入力の手数も軽減することができる。
【図面の簡単な説明】
【０００９】
【図１】実施形態のハンドル装置を示す外観斜視図である。
【図２】実施形態のハンドル装置の断面図である。
【図３】第１の実施形態を示す回路図である。
【図４】表示灯の点灯状態の変化を示す説明図である。
【図５】第２の実施形態を示す回路図である。
【図６】第３の実施形態を示す回路図である。
【図７】第４の実施形態を示す回路図である。
【発明を実施するための形態】
【００１０】
図１は実施形態のハンドル装置を示す外観斜視図、図２はその断面図である。１はキャビネット等の扉に固定される中空のハンドル本体、２はこのハンドル本体１に対して起伏自在なハンドル取手である。ハンドル取手２には操作ボタン３、表示灯４が設けられている。ハンドル本体１の内部には緊急時に開錠できるようにするためのシリンダ錠５が設けられているが、本発明の必須要件ではない。
【００１１】
ハンドル取手２の枢軸側の先端部には、キャビネット等の本体側と係合する一対のフック６があり、ハンドル取手２を起こすと内側に揺動して開錠状態となり、ハンドル取手２を倒すと図２のように外側に揺動して施錠状態となるよう、リンク７によってハンドル取手２と連結されている。このようにハンドル取手２を倒した状態では扉を開くことができない。そこでハンドル取手２の他方の先端部に係合段部８を設け、ロック部材９を係合させるとハンドル取手２を起立させることができないようになっている。このロック部材９はロック解除手段であるソレノイド１０に連結されており、ソレノイド１０をオンとすると係合段部８とロック部材９との係合が外れ、ハンドル取手２を起立させることができる状態となる。なおロック解除信号であるソレノイド駆動信号はタイマーによって所定時間維持され、その後は内蔵スプリングにより自動復帰するようになっている。
【００１２】
前記の操作ボタン３は手動によりソレノイド１０を作動させるためのもので、ロック解除の操作手段である。しかし本発明のハンドル装置は、管理用端末等からの開錠許可信号が入力された状態でなければ、操作ボタン３によるソレノイド１０の操作を行うことが出来ないように構成されている。以下にそのための具体的な回路構成を説明する。
【００１３】
図３は本発明の第１の実施形態を示す回路図であり、１０はロック解除用のソレノイド、３はソレノイド１０の操作手段である操作ボタン、４は施錠・開錠状態を表示する表示灯である。この実施形態では、表示灯４は赤色発光ダイオード１１と緑色発光ダイオード１２とを備え、単独点灯の場合は、赤、緑、双方点灯の場合は橙色の表示となる。また２０は開錠許可信号の検出手段として用いられるフォトカプラである。
【００１４】
Ａ〜Ｄは外部接続端子であり、Ａは電源投入状態において電圧が印加される端子、Ｂは管理用端末等から開錠許可信号が入力される端子、Ｃはマイコンからソレノイド１０の駆動信号が入力される端子、Ｄはアース端子である。赤色発光ダイオード１１は端子Ａに接続されており、緑色発光ダイオード１２は端子Ｂに接続されているが、フォトカプラ２０の発光素子２１を開錠許可信号が入力される端子Ｂと緑色発光ダイオード１２との間に直列に接続してある。このため、電源投入状態においては赤色発光ダイオード１１のみが点灯して表示灯４は赤色表示となり、開錠許可信号が入力されると緑色発光ダイオード１２も点灯するため、表示灯４は橙色表示となる。ここで、管理用端末とは別室などにおいてあるＰＣや携帯電話などであり、実際にはハンドル装置と管理用端末の間には制御装置が形成してあり、管理用端末から開錠許可信号が発信されると制御装置に入り、制御装置よりハンドル装置に信号が送られるものである。なお、ハンドル装置からの信号も制御装置を介して発信されるものである。
【００１５】
フォトカプラ２０の受光部２２はフォトトランジスタまたはフォトリレーであり、発光素子２１の発光によりオンとなる。この受光部２２はロック解除の操作手段である操作ボタン３と直列に接続されている。発光素子２１は開錠許可信号が検出された場合にのみ発光して受光部２２をオンとするものであるから、操作ボタン３は開錠許可信号が検出された場合にのみ操作が有効となり、開錠許可信号が検出されない場合には操作しても無効である。
【００１６】
このため、管理用端末等からの開錠許可信号が入力された状態、すなわち表示灯４が橙色表示となった開錠許可状態において操作ボタン３が操作されると、端子ＥＦからマイコンに信号が送られ、マイコンは端子Ｃからソレノイド１０に駆動信号を送る。これによってソレノイド１０はロック部材９をハンドル取手２の係合段部８から引き外し、ロックが解除される。しかし開錠許可信号が検出されない場合には、操作ボタン３を操作してもソレノイド１０は動かない。
【００１７】
このように本発明ではマイコンで演算することなく、ハンドル装置の内部でソレノイド駆動の許可・不許可を判断することができ、マイコンは操作ボタン３が操作されたときにソレノイド１０に駆動信号を送るだけでよいので、処理速度を高めることができる。また、端子Ｃからソレノイド１０の駆動信号が流れる回路との間に、バイパス回路５０を挿入することにより、管理用端末からの開錠許可信号がタイマーによりオフとなった場合においてもソレノイド１０が駆動している間はフォトカプラ２０の発光素子２１はオンしたままで保持できるものである。
【００１８】
図５は本発明の第２の実施形態を示す回路図であり、赤色発光ダイオード１１と並列にトランジスタ３０を設けて赤色発光ダイオード１１の入力側をコレクタに接続するとともに、ベースをソレノイド１０の駆動信号が入力される端子Ｃに接続したものである。その他の構成は図３と同一である。
【００１９】
この第２の実施形態の作用も第１の実施形態と同じであるが、ソレノイド１０の駆動信号が入力されるとトランジスタ３０がオンとなり、それまで赤色発光ダイオード１１に流れていた電流をトランジスタ３０にバイパスさせる。このため赤色発光ダイオード１１が消灯し、緑色発光ダイオード１２のみが点灯した状態になるので、表示灯４は緑色表示となる点のみが相違している。なおこの点灯状態の変化を図４に示した。
【００２０】
図６は本発明の第３の実施形態を示す回路図である。これは図５のフォトカプラ２０の代わりにフォトリレー２５を組み込んだものである。開錠許可信号が検出されるとフォトリレー２５がオンとなり、操作ボタン３が有効となるもので、その作用は図５と変わるところはない。
【００２１】
図７は、本発明の第４の実施形態を示す回路図である。これは図５のフォトカプラ２０の代わりにＮＰＮ形のトランジスタ４０を組み込んだものである。開錠許可信号が検出されるとトランジスタ４０がオンとなり、操作ボタン３が有効となるもので、その作用は図５と変わるところはない。
【００２２】
以上に説明したように、本発明のハンドル装置は、開錠許可信号の検出回路と、操作手段の操作を有効とする手段とを回路上で一体化させ、有効とされた操作手段が操作されたときにマイコンからソレノイド駆動信号を出力させてロックを解除するようにしたので、ハンドル装置の内部でソレノイド駆動の許可・不許可を判断することができ、従来よりも処理速度を高めることができる。またマイコンへのプログラム入力の手数も軽減することができる利点がある。なお、本実施例ではロック解除手段としてソレノイド１０、ロック解除信号としてソレノイド１０駆動信号で説明したが、特にソレノイド１０に限定させるものではなく、係止片などによりロック部材９を固定し、ロック解除信号を送ることにより係止片が回動しロック部材９の固定を解除する構造であっても良いことは勿論である。
【符号の説明】
【００２３】
１  ハンドル本体
２  ハンドル取手
３  操作ボタン
４  表示灯
５  シリンダ錠
６  フック
７  リンク
８  係合段部
９  ロック部材
１０  ソレノイド
１１  赤色発光ダイオード
１２  緑色発光ダイオード
２０  フォトカプラ
２１  発光素子
２２  受光部
２５  フォトリレー
３０  トランジスタ
４０  トランジスタ
５０  バイパス回路
【図１】
0005606188.tif 000002
【図２】
0005606188.tif 000003
【図３】
0005606188.tif 000004
【図４】
0005606188.tif 000005
【図５】
0005606188.tif 000006
【図６】
0005606188.tif 000007
【図７】
0005606188.tif 000008